(57)【特許請求の範囲】
【請求項１】
円周方向複数箇所にポケットを有するリング状の保持器と、この保持器の各ポケットに保持された複数の円すいころとを備え、前記ポケットの外径縁の幅が前記円すいころの直径よりも狭い円すいころ軸受における、前記保持器と円すいころ間のすきまの寸法である保持器ポケットすきま寸法を測定する装置であって、
前記円すいころ軸受から分離された前記保持器および円すいころでなる保持器・ころ組立体を支持する支持手段と、この支持手段に支持された前記保持器・ころ組立体の円すいころ列の内周に配置され、テーパ状の外周面が各円すいころの転動面に接する測定治具と、この測定治具の軸方向位置を測定する軸方向位置測定手段とを有することを特徴とする円すいころ軸受の保持器ポケットすきま寸法測定装置。
【請求項２】
請求項１において、前記測定治具は、その外周面の母線が、前記円すいころの転動面に対して凸状である円すいころ軸受の保持器ポケット寸法測定装置。
【請求項３】
請求項１または請求項２において、前記円すいころを、前記保持器の小径側に押し付ける押付け手段を設けた円すいころ軸受の保持器ポケット寸法測定装置。
【請求項４】
請求項１ないし請求項３のいずれか１項において、前記測定治具はセラミックで作成されている円すいころ軸受の保持器ポケット寸法測定装置。
【請求項５】
請求項１ないし請求項４のいずれか１項において、前記支持手段として、前記保持器・ころ組立体を、その保持器の小径側の端面に接する状態で載せる保持器載せ台を備え、この保持器載せ台は、前記各円すいころの転動面に接する測定治具の、前記保持器の小径側の端面よりも突出する箇所が挿入される治具挿入空間を有する円すいころ軸受の保持器ポケット寸法測定装置。
【請求項６】
円周方向複数箇所にポケットを有するリング状の保持器と、この保持器の各ポケットに保持された複数の円すいころとを備え、前記ポケットの外径縁の幅が前記円すいころの直径よりも狭い円すいころ軸受における、前記保持器と円すいころ間のすきまの寸法である保持器ポケットすきま寸法を測定する方法であって、
前記円すいころ軸受から、前記保持器および円すいころでなる保持器・ころ組立体を取り出し、この保持器・ころ組立体の円すいころ列の内周に、テーパ状の外周面が各円すいころの転動面に接する測定治具を配置し、この測定治具の軸方向位置を測定し、その測定結果から前記保持器ポケットすきま寸法を求めることを特徴とする円すいころ軸受の保持器ポケットすきま寸法測定方法。
【発明の詳細な説明】
【技術分野】
【０００１】
この発明は、円すいころ軸受における保持器と円すいころ間のすきまの寸法である保持器ポケットすきま寸法を測定する円すいころ軸受の保持器ポケットすきま寸法測定装置、およびその測定方法に関する。
【背景技術】
【０００２】
例えば図１に示すような円すいころ軸受１では、保持器５のポケット５ａ内での円すいころ４の挙動を妨げないように、軸受内で保持器５が内輪２および外輪３に対して中立位置にある状態で、図２に示すように、保持器５と円すいころ４との間に適度のすきま６ができるように設計されている。このすきま６が小さ過ぎると、円すいころ４の円滑な運動を阻害する。逆に、前記すきま６が大き過ぎても、保持器５自身の振れ回りが大きくなり、軸受の機能に悪影響を及ぼす。したがって、保持器５の製作に当たっては、保持器５と円すいころ４間のすきま６の寸法である保持器ポケットすきま寸法Ｓが適正な範囲内にあることを確認する必要がある。なお、ここで言う保持器５の中立位置とは、円すいころ４を内輪２の軌道面２ａおよび大つば２ｂに当てた状態に配置したうえで、保持器５を内輪２と同軸上で円すいころ４の小径側端面４ｂに当てた状態とした位置のことである。
【０００３】
従来、上記保持器ポケットすきま寸法Ｓの測定は、慣例的に、以下に記す方法で行われていた。すなわち、図１０に示すように、各部の寸法が正確な模範となる円すいころ４を保持器５の各ポケット５ａに組み込んで、各円すいころ４の内接円径Ｄｉおよび外接円径Ｄｏのいずれか、または両方を測定して行うものである。保持器ポケットすきま寸法Ｓが変化すると、円すいころ４の径方向位置も変化するため、各円すいころ４の内接円径Ｄｉや外接円径Ｄｏを測定することで、保持器ポケットすきま寸法Ｓが求められるのである。
【特許文献１】特開平１１−１６６５４３号公報
【発明の開示】
【発明が解決しようとする課題】
【０００４】
上記従来の保持器ポケットすきま寸法の測定方法は、模範となる円すいころ４の小径側または大径側のエッジ部の位置を目視で確認しながら内接円径Ｄ１または外接円径Ｄ２を測定することになるため、正確に測定するのは容易ではなく、測定に熟練を要する。それでも、円すいころ４の数が偶数である円すいころ軸受の場合は、図１０に示されているように、中心線を挟んで対向する位置に一対の円すいころ４が存在するため、内接円径Ｄｉや外接円径Ｄｏを比較的測定し易い。しかし、円すいころ４の数が奇数である円すいころ軸受の場合は、中心線を挟んで対向する位置に一対の円すいころ４が存在しないため、内接円径Ｄｉや外接円径Ｄｏの測定がより一層困難になる。
【０００５】
また、上記従来の保持器ポケットすきま寸法の測定方法は、円すいころ４の小径側または大径側のエッジ部で内接円径Ｄｉや外接円径Ｄｏを測定するものであるため、エッジ部が面取りされた量産タイプの円すいころを測定に用いることができない。よって、測定のために、エッジ部が面取りされていない円すいころ、およびその円すいころ用の保持器を用意しなければならない。
【０００６】
この発明は、上記背景下でなされたものであり、その目的は、円すいころ軸受の保持器ポケットすきま寸法を精度良く測定でき、その測定が容易で、構成が簡単な装置、およびその方法を提供することである。
【課題を解決するための手段】
【０００７】
この発明にかかる円すいころ軸受の保持器ポケットすきま寸法測定装置は、円周方向複数箇所にポケットを有するリング状の保持器と、この保持器の各ポケットに保持された複数の円すいころとを備え、前記ポケットの外径縁の幅が前記円すいころの直径よりも狭い円すいころ軸受における、前記保持器と円すいころ間のすきまの寸法である保持器ポケットすきま寸法を測定する装置であって、前記円すいころ軸受から分離された前記保持器および円すいころでなる保持器・ころ組立体を支持する支持手段と、この支持手段に支持された前記保持器・ころ組立体の円すいころ列の内周に配置され、テーパ状の外周面が各円すいころの転動面に接する測定治具と、この測定治具の軸方向位置を測定する軸方向位置測定手段とを有することを特徴とする。
【０００８】
この構成の保持器ポケットすきま寸法測定装置によれば、支持手段により、円すいころ軸受から分離された保持器および円すいころでなる保持器・ころ組立体を支持し、この保持器・ころ組立体の円すいころ列の内周に測定治具を、テーパ状の外周面が、保持器の各ポケットの小径側端に位置する各円すいころの転動面に接する状態で配置する。そして、軸方向位置測定手段により、測定治具の軸方向位置を測定する。測定治具の軸方向位置の測定は、各円すいころの内接円径や外接円径の測定に比べて容易である。
円すいころの径方向位置が異なると、それに比例して測定治具の軸方向位置も変化する。よって、円すいころの径方向位置と測定治具の軸方向位置との関係を数式化しておき、軸方向位置測定手段の測定結果を前記数式に代入することにより、保持器ポケットすきま寸法を求めることができる。または、円すいころの径方向位置と測定治具の軸方向位置との関係を相関表に表示しておき、軸方向位置測定手段の測定結果を前記相関表で照合することによっても、保持器ポケットすきま寸法を求めることができる。
このように、測定治具の軸方向位置を測定することで保持器ポケットすきま寸法を求めるため、円すいころ数が偶数、奇数に関係なく、ポケットすきま寸法を精度良く測定でき、その測定が容易である。また、保持器ポケットすきま寸法測定装置を簡単な構成とすることができる。
【０００９】
具体的に測定治具の軸方向位置を測定する手法として、次の２つが挙げられる。１つは、予め保持器ポケットすきま寸法が分かっている保持器・ころ組立体の基準品を用いて測定治具の軸方向基準位置を測定しておき、その後、被測定品である保持器・ころ組立体を用いて測定治具の前記基準品に対する軸方向相対位置を測定する手法である。この場合、軸方向基準位置と軸方向相対位置の和が測定治具の軸方向位置になる。もう１つは、被測定品ごとに測定治具の軸方向位置を直接測定する手法である。
前者の手法は、保持器・ころ組立体の基準品が必要であるが、それ以外は測定治具の外周面形状さえ正確に把握されていれば測定が行えるため、保持器ポケットすきま寸法測定装置の設計等は簡便である。後者の手法は、保持器・ころ組立体の基準品を作成する必要がないが、保持器ポケットすきま寸法測定装置の各部の加工精度を高く保つ必要があるため、保持器ポケットすきま寸法測定装置の設計や取扱いは前者に比べて難しい。これら２つの手法は、対象となる円すいころ軸受の種類や各種状況等に応じて使い分けるのが良い。
【００１０】
この発明において、前記測定治具は、その外周面の母線を、前記円すいころの転動面に対して凸状とすることができる。
通常、保持器のポケットの形状は、円すいころの転動面のテーパ形状に合わせられており、ポケットの内壁面と円すいころの転動面は線接触する。そのため、円すいころに対して測定治具が１点で当たりさえすれば、円すいころがポケットの内壁面に押し当てられた状態となる。したがって、外周面の母線が円すいころの転動面に対して凸状である測定治具を使用することができる。測定治具の外周面の母線が円すいころの転動面に対して凸状であれば、内輪のテーパ角が異なる円すい転がり軸受についても、同じ測定治具を使用して保持器ポケットすきま寸法を測定することができる。
【００１１】
この発明において、前記円すいころを、前記保持器の小径側に押し付ける押付け手段を設けてもよい。
上記押付け手段を設けると、重力に関係なく、円すいころが常に保持器の小径側に押し付けられた状態になるので、保持器ポケットすきま寸法測定装置を任意の姿勢で使用することができる。
【００１２】
前記測定治具はセラミックで作成することができる。
径が大きい保持器の場合、その保持器ポケットすきま寸法の測定に用いる測定治具の径も大きくなる。径が大きい測定治具は重量が重いので、その重みで保持器がたわみ変形するおそれがある。測定治具をセラミック等の軽くて硬い素材で作成すれば、測定治具の強度を保ちつつ、保持器への影響を軽減させることができる。
【００１３】
前記支持手段として、前記保持器・ころ組立体を、その保持器の小径側の端面に接する状態で載せる保持器載せ台を備える場合、この保持器載せ台は、前記各円すいころの転動面に接する測定治具の、前記保持器の小径側の端面よりも突出する箇所が挿入される治具挿入空間を有していてもよい。
保持器載せ台が治具挿入空間を有すると、軸方向に長い測定治具を使用することができる。測定治具が軸方向に長いと、そのテーパ状外周面の径の変化幅を広くとることができるので、様々な径の保持器について保持器ポケットすきま寸法の測定を行うことができる。
【００１４】
この発明にかかる円すいころ軸受の保持器ポケットすきま寸法測定方法は、円周方向複数箇所にポケットを有するリング状の保持器と、この保持器の各ポケットに保持された複数の円すいころとを備え、前記ポケットの外径縁の幅が前記円すいころの直径よりも狭い円すいころ軸受における、前記保持器と円すいころ間のすきまの寸法である保持器ポケットすきま寸法を測定する方法であって、
前記円すいころ軸受から、前記保持器および円すいころでなる保持器・ころ組立体を取り出し、この保持器・ころ組立体の円すいころ列の内周に、テーパ状の外周面が各円すいころの転動面に接する測定治具を配置し、この測定治具の軸方向位置を測定し、その測定結果から前記保持器ポケットすきま寸法を求めることを特徴とする。
【００１５】
保持器・ころ組立体の円すいころ列の内周に測定治具を配置した場合、円すいころの径方向位置が異なると、それに比例して測定治具の軸方向位置も異なる。よって、円すいころの径方向位置と測定治具の軸方向位置との関係を数式化しておき、測定治具の軸方向位置を測定した測定結果を、前記数式に代入することにより、保持器ポケットすきま寸法を求めることができる。または、円すいころの径方向位置と測定治具の軸方向位置との関係を相関表に表示しておき、測定治具の軸方向位置を測定した測定結果を、前記相関表で照合することにより、保持器ポケットすきま寸法を求めることができる。
このように、測定治具の軸方向位置を測定することで保持器ポケットすきま寸法を求めるため、円すいころ数が偶数、奇数に関係なく、ポケットすきま寸法を精度良く測定できる。また、測定治具の軸方向位置の測定は、各円すいころの内接円径や外接円径の測定に比べて容易であるため、この方法による保持器ポケットすきま寸法の測定は容易である。
【発明の効果】
【００１６】
この発明の円すいころ軸受の保持器ポケットすきま寸法測定装置は、円周方向複数箇所にポケットを有するリング状の保持器と、この保持器の各ポケットに保持された複数の円すいころとを備え、前記ポケットの外径縁の幅が前記円すいころの直径よりも狭い円すいころ軸受における、前記保持器と円すいころ間のすきまの寸法である保持器ポケットすきま寸法を測定する装置であって、前記円すいころ軸受から分離された前記保持器および円すいころでなる保持器・ころ組立体を支持する支持手段と、この支持手段に支持された前記保持器・ころ組立体の円すいころ列の内周に配置され、テーパ状の外周面が各円すいころの転動面に接する測定治具と、この測定治具の軸方向位置を測定する軸方向位置測定手段とを有するため、円すいころ軸受の保持器ポケットすきま寸法を精度良く測定でき、その測定が容易で、構成が簡単である。
【００１７】
この発明の円すいころ軸受の保持器ポケットすきま寸法測定方法は、円周方向複数箇所にポケットを有するリング状の保持器と、この保持器の各ポケットに保持された複数の円すいころとを備え、前記ポケットの外径縁の幅が前記円すいころの直径よりも狭い円すいころ軸受における、前記保持器と円すいころ間のすきまの寸法である保持器ポケットすきま寸法を測定する方法であって、前記円すいころ軸受から、前記保持器および円すいころでなる保持器・ころ組立体を取り出し、この保持器・ころ組立体の円すいころ列の内周に、テーパ状の外周面が各円すいころの転動面に接する測定治具を配置し、この測定治具の軸方向位置を測定し、その測定結果から前記保持器ポケットすきま寸法を求めるため、円すいころ軸受の保持器ポケットすきま寸法を精度良く測定でき、その測定が容易である。
【発明を実施するための最良の形態】
【００１８】
以下、図１および図２に示す円すいころ軸受の保持器ポケットすきま寸法を測定する保持器ポケットすきま寸法測定装置について説明する。図１において、円すいころ軸受１は、内輪２と、外輪３と、これら内外輪２，３間に介在する複数個の円すいころ４と、円すいころ４を保持する保持器５とを備えている。内輪２は、外周に円すい面からなる軌道面２ａが形成されたものであり、軌道面２ａの大径側に大つば２ｂ、小径側に小つば２ｃをそれぞれ有する。外輪３は、内周に内輪２の軌道面２ａに対向する軌道面３ａが形成されたものであり、つば無しとされている。円すいころ４は、外周が転動面４ａとして形成され、上記両軌道面２ａ，３ａ間で転動自在となっている。各円すいころ４は、保持器５のポケット５ａ内に入れられ、円周方向に所定の間隔を隔てて保持されている。
図２に示すように、任意の断面において、保持器ポケット５ａの外径縁の幅ｂは円すいころ４の直径ｄよりも狭く、円すいころ４が外径側へ抜けないようになっている。また、保持器５の柱部５ｂの内径側角部には、円すいころ４の外周面の接線とほぼ平行に面取り７が施されている。
【００１９】
図３は、保持器ポケットすきま寸法測定装置の概略構成を示す図である。この保持器ポケットすきま寸法測定装置１０は、上記円すいころ軸受１から円すいころ４および保持器５を取り出したものである保持器・ころ組立体１１を支持する支持手段１２と、この支持手段１２に支持された保持器・ころ組立体１１の円すいころ４列の内周に配置される測定治具１３と、この測定治具１３の軸方向位置を測定する軸方向位置測定手段１４とを有する。
【００２０】
この実施形態では、前記支持手段１２は床面Ｆに設置された保持器載せ台であり、この保持器載せ台は、上面１２ａが水平に成形されている。保持器・ころ組立体１１は、保持器５の小径側の端面５ｂが保持器載せ台の上面１２ａに接する状態で支持される。この支持状態において、各円すいころ４は、重力によって保持器５のポケット５ａの小径側端に位置している。
【００２１】
測定治具１３は、下側が先細りになった円すい台状であり、その外周面１３ａが、保持器・ころ組立体１１の各円すいころ４の転動面４ａに接するテーパ状に形成されている。測定治具１３の素材としては、比較的軽くて硬いセラミック等が適している。径が大きい保持器５の場合、測定治具１３の径も大きくなる。径が大きい測定治具１３は重量が重いので、その重みで保持器５がたわみ変形するおそれがある。測定治具１３をセラミック等の軽くて硬い素材で作成すれば、測定治具１３の強度を保ちつつ、保持器５への影響を軽減させることができる。
【００２２】
軸方向位置測定手段１４としては、例えばマイクロメータ、またはレーザ測長器等を使用することができる。軸方向位置測定手段１４により測定治具１３の軸方向位置を測定する手法としては、次の２つがある。１つは、図５（Ａ）に示すように、予め保持器ポケットすきま寸法が分かっている保持器・ころ組立体の基準品１１Ａを用いて、測定治具１３の軸方向基準位置ｌ０、例えば保持器５の小径側端と測定治具１３の大径側端間の軸方向距離を測定しておき、その後、図５（Ｂ）に示すように、被測定品である保持器・ころ組立体１１Ｂを用いて、測定治具１３の前記基準品１１Ａに対する軸方向相対位置δ２を測定する手法である。この場合、軸方向基準位置ｌ０と軸方向相対位置δ２の和が測定治具の軸方向位置ｌになる（ｌ＝ｌ０＋δ２）。もう１つは、図６に示すように、被測定品である保持器・ころ組立体１１Ｂを用いて、測定治具１３の軸方向位置ｌを直接測定する手法である。
【００２３】
図５の手法は、保持器・ころ組立体の基準品１１Ａが必要であるが、それ以外は測定治具１３の外周面形状さえ正確に把握されていれば測定が行えるため、保持器ポケットすきま寸法測定装置１０の設計等は簡便である。図６の手法は、保持器・ころ組立体の基準品１１Ａを作成する必要がないが、保持器ポケットすきま寸法測定装置１０の各部の加工精度を高く保つ必要があるため、保持器ポケットすきま寸法測定装置１０の設計や取扱いは前者に比べて難しい。これら２つの手法は、対象となる円すいころ軸受の種類や各種状況等に応じて使い分けるのが良い。
【００２４】
この保持器ポケットすきま寸法測定装置１０の原理を、図５の手法で測定治具１３の軸方向位置を測定する場合を例にとって説明する。図４は、そのときの保持器ポケットすきま寸法測定装置１０の部分拡大図である。ここでは、各円すいころ４の内接円径Ｄｉや外接円径Ｄｏの基準値と最大値の差の半分に相当する径方向の保持器ポケットすきま寸法ＳＲを求める。
保持器５が中立位置にあるとき、すなわち円すいころ４を内輪２の軌道面２ａおよび大つば２ｂに当てた状態に配置したうえで、保持器５を内輪２と同軸上で円すいころ４の小径側端面４ｂに当てた状態に配置したときに、内接円径Ｄｉおよび外接円径Ｄｏが基準値を示す。この中立位置から、保持器５を円すいころ４の小径側端面４ｂに押し当てたまま、転動面４ａが保持器ポケット５ａの内壁面に当たるまで円すいころ４を移動させると、内接円径Ｄｉおよび外接円径Ｄｏが最大値となる。
【００２５】
仮に、被測定品である保持器・ころ組立体１１の径方向の保持器ポケットすきま寸法ＳＲは、保持器・ころ組立体の基準品（図示せず）の径方向の保持器ポケットすきま寸法よりもδだけ大きいとする。このとき、円すいころ４は、ポケット５ａの内壁面との本来の接触位置１５からδ１だけ外側へ移動した位置で、ポケット５ａの内壁面と接触して静止している。この円すいころ４の移動に伴い、測定治具１３は軸方向にδ２だけ移動しているとする。円すいころ４の移動量がδ１のとき、円すいころ４の鉛直方向（軸方向）および水平方向の移動量は、それぞれδ１ｓｉｎ（α１＋α２）、δ１ｃｏｓ（α１＋α２）である。ここで、α１は円すいころ４の転動面４ａのテーパ角、α２は内輪１のテーパ角である。このとき、測定治具１３の軸方向移動量δ２と円すいころ４の移動量δ１とは式１の関係がある。
【００２６】
【数１】
0005178270.tif 000002
【００２７】
ただし、式１において、第１項は円すいころ４の軸方向移動による測定治具１３の軸方向移動量、第２項は円すいころ４の水平方向移動による測定治具１３の軸方向移動量である。これをδ１について解くと、式２のようになる。
【００２８】
【数２】
0005178270.tif 000003
【００２９】
また、円すいころ４の移動量δ１のうち、水平方向の移動量が径方向の保持器ポケットすきまの増分δに相当するので、式３の関係が成り立つ。
【００３０】
【数３】
0005178270.tif 000004
【００３１】
これと式２より、δとδ２の関係式は式４の通りとなる。
【００３２】
【数４】
0005178270.tif 000005
【００３３】
ここで、α１とα２は定数であるので、δとδ２は比例関係となる。この関係より、測定治具１３の軸方向移動量δ２から、径方向の保持器ポケットすきまの増分δを計算することができる。例えば、α１＝２°、α２＝８．９５２８°である場合、δ＝０．１５２９δ２となり、測定治具１３の軸方向移動量δ２は径方向の保持器ポケットすきまの増分δを６．５倍に増幅したものと言える。このように、増幅された測定治具１３の軸方向移動量δ２を測定して径方向の保持器ポケットすきまの増分δを求めるため、径方向の保持器ポケットすきまＳＲの寸法を精度良く測定することができる。被測定品である保持器・ころ組立体１１の径方向の保持器ポケットすきま寸法ＳＲは、保持器・ころ組立体の基準品（図示せず）の径方向の保持器ポケットすきま寸法に前記増分δを加算したものである。
【００３４】
被測定品である保持器・ころ組立体１１ごとに式２を用いて計算する代わりに、測定治具１３の軸方向移動量δ２と径方向の保持器ポケットすきまの増分δとの関係を相関表（図示せず）に表示しておき、軸方向位置測定手段１４により測定された測定治具１３の軸方向移動量δ２を前記相関表で照合することにより、径方向の保持器ポケットすきまの増分δを求めるようにしてもよい。
また、図６の手法で測定治具１３の軸方向位置を測定し、その測定結果から径方向の保持器ポケットすきま寸法を求めてもよい。
【００３５】
径方向の保持器ポケットすきま寸法ＳＲとポケット５の内壁面に対して垂直な保持器ポケットすきま寸法Ｓ（図２）との関係は、軸受や保持器５の形状に深く関係するために一般式化することは難しいが、径方向の保持器ポケットすきま寸法ＳＲを求めることで、おおよその保持器ポケットすきま寸法Ｓを知ることができる。
【００３６】
図７は測定治具１３の異なる例を示す図であり、この測定治具１３は、その外周面１３ａの母線が、円すいころ４の転動面４ａに対して凸状とされている。通常、保持器５のポケット５ａの形状は、円すいころ４の転動面４ａのテーパ形状に合わせられており、ポケット５ａの内壁面と円すいころ４の転動面４ａは線接触する。そのため、円すいころ４に対して測定治具１３が１点Ｐで当たりさえすれば、円すいころ４がポケット５ａの内壁面に押し当てられた状態となる。したがって、外周面１３ａの母線が円すいころ４の転動面４ａに対して凸状である測定治具１３を使用することができる。測定治具１３の外周面１３ａの母線が円すいころ４の転動面４ａに対して凸状であれば、内輪２のテーパ角α２が異なる円すい転がり軸受１についても、同じ測定治具１３を使用して保持器ポケットすきま寸法を測定することができる。
【００３７】
図８は、保持器ポケットすきま寸法測定装置の異なる実施形態を示す。この保持器ポケットすきま寸法測定装置１０は、各円すいころ４を保持器５の小径側に押し付ける押付け手段１６が設けられている。この例では、押付け手段１６は、支持手段１２に固定した支柱１６ａの上端と円すいころ４の大径側端面間に圧縮ばね１６ｂを介在させたものである。押付け手段１６を設けると、重力に関係なく、各円すいころ４が常に保持器５の小径側に押し付けられた状態になるので、保持器５の小径側が下側になるように保持器・ころ組立体１１を支持手段１２で支持する必要がない。言い換えれば、保持器ポケットすきま寸法測定装置１０を任意の姿勢で使用することができる。
【００３８】
図９は、保持器ポケットすきま寸法測定装置のさらに異なる実施形態を示す。この保持器ポケットすきま寸法測定装置１０は、支持手段１２としての保持器載せ台を、それぞれが配置を変更可能な複数の分割台１２ａからなるものとし、各分割台１２ａ間に治具挿入空間１７を設けたものである。治具挿入空間１７には、外周面１３ａが各円すいころ４の転動面４ａに接する測定治具１３の、保持器５の小径側の端面５ｂよりも下方に突出する箇所が挿入される。支持手段１２である保持器載せ台が治具挿入空間１７を有すると、図に示されているような軸方向に長い測定治具１３を使用することができる。測定治具１３が軸方向に長いと、そのテーパ状外周面１３ａの径の変化幅を広くとることができるので、様々な径の保持器５について保持器ポケットすきま寸法Ｓの測定を行うことができる。
【図面の簡単な説明】
【００３９】
【図１】円すいころ軸受の断面図である。
【図２】図１のII−II断面図である。
【図３】この発明の実施形態にかかる保持器ポケットすきま寸法測定装置の概略構成を示す図である。
【図４】図３の部分拡大図である。
【図５】測定治具の軸方向位置を測定する第１の手法の説明図である。
【図６】測定治具の軸方向位置を測定する第２の手法の説明図である。
【図７】この発明の異なる実施形態にかかる保持器ポケットすきま寸法測定装置の部分拡大図である。
【図８】この発明のさらに異なる実施形態にかかる保持器ポケットすきま寸法測定装置の概略構成を示す図である。
【図９】この発明のさらに異なる実施形態にかかる保持器ポケットすきま寸法測定装置の概略構成を示す図である。
【図１０】従来の保持器ポケットすきま寸法測定方法の説明図である。
【符号の説明】
【００４０】
１…円すいころ軸受
２…内輪
３…外輪
４…円すいころ
４ａ…転動面
５…保持器
５ａ…ポケット
１０…保持器ポケットすきま寸法測定装置
１１…保持器・ころ組立体
１２…支持手段
１３…測定治具
１３ａ…外周面
１４…軸方向位置測定手段
１６…押付け手段
１７…治具挿入空間
Ｓ…保持器ポケットすきま寸法
δ…径方向の保持器ポケットすきまの増分
δ１…円すいころの移動量
δ２…測定治具の軸方向移動量
【図１】
0005178270.tif 000006
【図２】
0005178270.tif 000007
【図３】
0005178270.tif 000008
【図４】
0005178270.tif 000009
【図５】
0005178270.tif 000010
【図６】
0005178270.tif 000011
【図７】
0005178270.tif 000012
【図８】
0005178270.tif 000013
【図９】
0005178270.tif 000014
【図１０】
0005178270.tif 000015